(57)【要約】【課題】  ゴルフクラブの使用履歴を容易に取得し、スコア計算を容易に行う。【解決手段】  ＩＣタグ５は、ゴルフクラブ４の各々に取り付けられている。ゴルフプレーヤがショットするためにゴルフクラブ４を構えた体勢になると、そのゴルフクラブ４のＩＣタグ５からＩＣタグ識別番号が送信される。携帯端末１のタグリーダ２は、そのＩＣタブ５からのＩＣタグ識別番号を受信する。携帯端末１は、受信したＩＣタグ識別番号から、そのときのショットで用いたゴルフクラブを特定するとともに、その位置を示す位置情報、取得時刻を、ラウンド履歴情報として管理サーバ２０へ送信する。管理サーバ２０は、受信したラウンド履歴情報をデータベース２１で一元管理し、ラウンド履歴情報に従って、各ホールのスコア等を計算する。【選択図】    図１
2006338336.tif 000002
【特許請求の範囲】
【請求項１】
ゴルフ場におけるラウンド履歴管理システムであって、
ゴルフクラブ毎に取り付けられたタグであって、取り付けられたゴルフクラブを一意に特定可能な識別情報を記憶する第１の記憶手段と、前記記憶手段に記憶されている識別情報を送信する第１の送信手段とを備えるＩＣタグと、
前記ＩＣタグから送信される識別情報を受信する第１の受信手段と、現在位置を示す位置情報を取得する位置情報取得手段と、現在時刻を示す取得時刻を取得する時刻取得手段と、少なくとも前記識別情報と前記位置情報と前記取得時刻とを含むラウンド履歴情報を送信する第２の送信手段とを備え、ゴルフプレーヤに携帯される携帯端末と、
前記携帯端末の第２の送信手段から送信されるラウンド履歴情報を受信する第２の受信手段と、前記第２の受信手段により受信したラウンド履歴情報を記憶する第２の記憶手段とを備える管理サーバと
を具備することを特徴とするラウンド履歴管理システム。
【請求項２】
前記ＩＣタグは、外部電波を駆動電力とするパッシブタグであることを特徴とする請求項１記載のラウンド履歴管理システム。
【請求項３】
前記ＩＣタグは、前記ゴルフクラブのグリップに設けられている穴に挿入されるグリップマーカ上に取り付けられていることを特徴とする請求項１または２記載のラウンド履歴管理システム。
【請求項４】
前記携帯端末は、前記ラウンド履歴情報に基づいて、コース俯瞰図上に使用したゴルフクラブと使用位置とを表示する表示手段を備えることを特徴とする請求項１ないし３のいずれかに記載のラウンド履歴管理システム。
【請求項５】
前記管理サーバは、前記ラウンド履歴情報に基づいて、コース毎のスコアを計算する演算手段を具備することを特徴とする請求項１ないし４のいずれかに記載のラウンド履歴管理システム。
【請求項６】
ゴルフ場におけるラウンド履歴管理方法であって、
ゴルフプレーヤに携帯された携帯端末で、ゴルフクラブ毎に取り付けたＩＣタグから送信される、取り付けられたゴルフクラブを一意に特定可能な識別情報を取得し、
そのときの携帯端末の現在位置を示す位置情報、および現在時刻を示す取得時刻を取得し、
少なくとも前記識別情報と前記位置情報と前記取得時刻とを含むラウンド履歴情報を送信し、
前記携帯端末から送信されるラウンド履歴情報を管理サーバで受信して一元管理することを特徴とするラウンド履歴管理方法。
【請求項７】
ゴルフ場におけるラウンド履歴取得端末であって、
ゴルフクラブ毎に取り付けられたＩＣタグから、取り付けられたゴルフクラブを一意に特定可能な識別情報を受信する受信手段と、
現在位置を示す位置情報を取得する位置情報取得手段と、
現在時刻を示す取得時刻を取得する時刻取得手段と、
少なくとも前記識別情報と前記位置情報と前記取得時刻とを含むラウンド履歴情報を記憶する記憶手段と
前記ラウンド履歴情報に基づいて、使用したゴルフクラブと使用位置とを表示する表示手段と
を具備することを特徴とするラウンド履歴取得端末。
【請求項８】
前記表示手段は、使用したゴルフクラブと使用位置とをコース俯瞰図上に表示することを特徴とする請求項７記載のラウンド履歴取得端末。
【請求項９】
前記ラウンド履歴情報に基づいて、コース毎のスコアを計算する演算手段を具備することを特徴とする請求項７または８記載のラウンド履歴取得端末。
【請求項１０】
ゴルフ場におけるラウンド履歴取得方法であって、
ゴルフクラブ毎に取り付けられたＩＣタグから、取り付けられたゴルフクラブを一意に特定可能な識別情報を受信し、
現在位置を示す位置情報を取得し、
現在時刻を示す取得時刻を取得し、
少なくとも前記識別情報と前記位置情報と前記取得時刻とを含むラウンド履歴情報を記憶することを特徴とするラウンド履歴取得方法。
【請求項１１】
ゴルフ場におけるラウンド履歴取得プログラムであって、
ゴルフクラブ毎に取り付けられたＩＣタグから、取り付けられたゴルフクラブを一意に特定可能な識別情報を受信するステップと、
現在位置を示す位置情報を取得するステップと、
現在時刻を示す取得時刻を取得するステップと、
少なくとも前記識別情報と前記位置情報と前記取得時刻とを含むラウンド履歴情報を記憶するステップと
をコンピュータに実行させることを特徴とするラウンド履歴取得プログラム。
【請求項１２】
ゴルフクラブ毎に取り付けられたＩＣタグから、取り付けられたゴルフクラブを一意に特定可能な識別情報を受信するステップと、
現在位置を示す位置情報を取得するステップと、
現在時刻を示す取得時刻を取得するステップと、
少なくとも前記識別情報と前記位置情報と前記取得時刻とを含むラウンド履歴情報を記憶するステップと
を含むラウンド履歴取得プログラムを記録していることを特徴とする記録媒体。
【発明の詳細な説明】
【技術分野】
【０００１】
本発明は、ゴルフ場におけるラウンド履歴管理システム、ラウンド履歴管理方法、ラウンド履歴取得端末、ラウンド履歴取得方法、ラウンド履歴取得プログラムおよび記録媒体に関する。
【背景技術】
【０００２】
従来、ゴルフのプレイヤは、事前にインターネットから、あるいはゴルフ場において、スコアカードの裏面に書かれているコース情報や、カートに設置してあるコース情報をまとめた冊子、カートの液晶ディスプレイに表示されている情報に基づいて、コースの状況、ピンの配置などを知ることができるようになっている。また、ラウンド中は、キャディやコース内の残り距離表示板等により、ピンまでの距離を把握することができるようになっている。
【０００３】
近年、上述したようなコース情報やスコア管理を容易に行えるようにするために、様々な技術が提案されている。例えば、カートに無線機器を搭載し、プレイヤに残り距離や風情報、グリーン情報などを通知する技術（例えば特許文献１参照）、あるいは、ＰＤＡでスコアを入力し、携帯電話でスコアを送受信し、スコアをプレイヤ間で共有する技術（例えば特許文献２参照）、携帯電話でスコア入力、閲覧、予約、天候情報を入手する技術（例えば特許文献３参照）。
【特許文献１】特開２００４−１１３５３５号公報
【特許文献２】特開２００３−２２０１６６号公報
【特許文献３】特開２００２−３６９９０４号公報
【発明の開示】
【発明が解決しようとする課題】
【０００４】
しかしながら、従来技術では、いずれの場合も、付加的な情報を提供する技術であって、ラウンド中にどの場所からどのクラブを用いてどこに打ったかという情報は、プレーヤが自分でスコアカードの裏のコース情報に手書きで記入するか、あるいはキャディに記入してもらう必要があった。あた、そのデータをラウンド後に自分でパーソナルコンピュータ等に入力する必要があり、非常に手間がかかるという問題があった。
【０００５】
本発明は、このような事情を考慮してなされたものであり、その目的は、コースでのゴルフクラブの使用履歴を容易に取得することができ、スコア計算を容易に行うことができるラウンド履歴管理システム、ラウンド履歴管理方法、ラウンド履歴取得端末、ラウンド履歴取得方法、ラウンド履歴取得プログラムおよび記録媒体を提供することにある。
【課題を解決するための手段】
【０００６】
上述した課題を解決するために、本発明は、ゴルフ場におけるラウンド履歴管理システムであって、ゴルフクラブ毎に取り付けられたタグであって、取り付けられたゴルフクラブを一意に特定可能な識別情報を記憶する第１の記憶手段と、前記記憶手段に記憶されている識別情報を送信する第１の送信手段とを備えるＩＣタグと、前記ＩＣタグから送信される識別情報を受信する第１の受信手段と、現在位置を示す位置情報を取得する位置情報取得手段と、現在時刻を示す取得時刻を取得する時刻取得手段と、少なくとも前記識別情報と前記位置情報と前記取得時刻とを含むラウンド履歴情報を送信する第２の送信手段とを備え、ゴルフプレーヤに携帯される携帯端末と、前記携帯端末の第２の送信手段から送信されるラウンド履歴情報を受信する第２の受信手段と、前記第２の受信手段により受信したラウンド履歴情報を記憶する第２の記憶手段とを備える管理サーバとを具備することを特徴とする。
【０００７】
本発明は、上記の発明において、前記ＩＣタグは、外部電波を駆動電力とするパッシブタグであることを特徴とする。
【０００８】
本発明は、上記の発明において、前記ＩＣタグは、前記ゴルフクラブのグリップに設けられている穴に挿入されるグリップマーカ上に取り付けられていることを特徴とする。
【０００９】
本発明は、上記の発明において、前記携帯端末は、前記ラウンド履歴情報に基づいて、コース俯瞰図上に使用したゴルフクラブと使用位置とを表示する表示手段を備えることを特徴とする。
【００１０】
本発明は、上記の発明において、前記ラウンド履歴情報に基づいて、コース毎のスコアを計算する演算手段を具備することを特徴とする。
【００１１】
また、上述した課題を解決するために、本発明は、ゴルフ場におけるラウンド履歴管理方法であって、ゴルフプレーヤに携帯された携帯端末で、ゴルフクラブ毎に取り付けたＩＣタグから送信される、取り付けられたゴルフクラブを一意に特定可能な識別情報を取得し、そのときの携帯端末の現在位置を示す位置情報、および現在時刻を示す取得時刻を取得し、少なくとも前記識別情報と前記位置情報と前記取得時刻とを含むラウンド履歴情報を送信し、前記携帯端末から送信されるラウンド履歴情報を管理サーバで受信して一元管理することを特徴とする。
【００１２】
また、上述した課題を解決するために、本発明は、ゴルフ場におけるラウンド履歴取得端末であって、ゴルフクラブ毎に取り付けられたＩＣタグから、取り付けられたゴルフクラブを一意に特定可能な識別情報を受信する受信手段と、現在位置を示す位置情報を取得する位置情報取得手段と、現在時刻を示す取得時刻を取得する時刻取得手段と、少なくとも前記識別情報と前記位置情報と前記取得時刻とを含むラウンド履歴情報を記憶する記憶手段と前記ラウンド履歴情報に基づいて、使用したゴルフクラブと使用位置とを表示する表示手段とを具備することを特徴とする。
【００１３】
本発明は、上記の発明において、前記表示手段は、使用したゴルフクラブと使用位置とをコース俯瞰図上に表示することを特徴とする。
【００１４】
本発明は、上記の発明において、前記ラウンド履歴情報に基づいて、コース毎のスコアを計算する演算手段を具備することを特徴とする。
【００１５】
また、上述した課題を解決するために、本発明は、ゴルフ場におけるラウンド履歴取得方法であって、ゴルフクラブ毎に取り付けられたＩＣタグから、取り付けられたゴルフクラブを一意に特定可能な識別情報を受信し、現在位置を示す位置情報を取得し、現在時刻を示す取得時刻を取得し、少なくとも前記識別情報と前記位置情報と前記取得時刻とを含むラウンド履歴情報を記憶することを特徴とする。
【００１６】
また、上述した課題を解決するために、本発明は、ゴルフ場におけるラウンド履歴取得プログラムであって、ゴルフクラブ毎に取り付けられたＩＣタグから、取り付けられたゴルフクラブを一意に特定可能な識別情報を受信するステップと、現在位置を示す位置情報を取得するステップと、現在時刻を示す取得時刻を取得するステップと、少なくとも前記識別情報と前記位置情報と前記取得時刻とを含むラウンド履歴情報を記憶するステップとをコンピュータに実行させることを特徴とする。
【００１７】
また、上述した課題を解決するために、本発明は、ゴルフクラブ毎に取り付けられたＩＣタグから、取り付けられたゴルフクラブを一意に特定可能な識別情報を受信するステップと、現在位置を示す位置情報を取得するステップと、現在時刻を示す取得時刻を取得するステップと、少なくとも前記識別情報と前記位置情報と前記取得時刻とを含むラウンド履歴情報を記憶するステップとを含むラウンド履歴取得プログラムを記録していることを特徴とする。
【発明の効果】
【００１８】
この発明によれば、ゴルフクラブ毎に取り付けられたＩＣタグから、第１の記憶手段に記憶されている、ゴルフクラブを一意に特定可能な識別情報を、第１の送信手段によって送信し、ゴルフプレーヤに携帯される携帯端末で、第１の受信手段により、識別情報を受信し、位置情報取得手段により、現在位置を示す位置情報を取得し、時刻取得手段により、現在時刻を示す取得時刻を取得し、第２の送信手段により、少なくとも前記識別情報と前記位置情報と前記取得時刻とを含むラウンド履歴情報を送信し、管理サーバで、第２の受信手段により、ラウンド履歴情報を受信し、第２の記憶手段に記憶する。したがって、コースでのゴルフクラブの使用履歴を容易に取得することができるという利点が得られる。
【００１９】
また、本発明によれば、前記ＩＣタグを、外部電波を駆動電力とするパッシブタグとする。したがって、コースでのゴルフクラブの使用履歴を容易に取得することができるとともに、容易にメンテナンスでき、かつ他の機器との混信も防止することができるという利点が得られる。
【００２０】
また、本発明によれば、前記ゴルフクラブのグリップに設けられている穴に挿入されるグリップマーカ上に前記ＩＣタグを取り付ける。したがって、コースでのゴルフクラブの使用履歴を容易に取得することができるとともに、容易にゴルフクラブに取り付けることができるという利点が得られる。
【００２１】
また、本発明によれば、前記携帯端末で、前記ラウンド履歴情報に基づいて、コース俯瞰図上に使用したゴルフクラブと使用位置とを表示手段に表示する。したがって、コースでのゴルフクラブの使用履歴を容易に取得することができるとともに、クラブ毎の飛距離、正確度を把握することができるという利点が得られる。
【００２２】
また、本発明によれば、演算手段によって、前記ラウンド履歴情報に基づいて、コース毎のスコアを計算する。したがって、コースでのゴルフクラブの使用履歴を容易に取得することができ、スコア計算を容易に行うことができるという利点が得られる。
【００２３】
また、本発明によれば、ゴルフプレーヤに携帯された携帯端末で、ゴルフクラブ毎に取り付けたＩＣタグから送信される、取り付けられたゴルフクラブを一意に特定可能な識別情報を取得し、そのときの携帯端末の現在位置を示す位置情報、および現在時刻を示す取得時刻を取得し、少なくとも前記識別情報と前記位置情報と前記取得時刻とを含むラウンド履歴情報を送信し、前記携帯端末から送信されるラウンド履歴情報を管理サーバで受信して一元管理する。したがって、コースでのゴルフクラブの使用履歴を容易に取得することができるという利点が得られる。
【００２４】
また、本発明によれば、受信手段により、ゴルフクラブ毎に取り付けられたＩＣタグから送信される、ゴルフクラブを一意に特定可能な識別情報を受信し、位置情報取得手段により、現在位置を示す位置情報を取得し、時刻取得手段により、現在時刻を示す取得時刻を取得し、少なくとも前記識別情報と前記位置情報と前記取得時刻とを含むラウンド履歴情報を記憶手段に記憶し、前記ラウンド履歴情報に基づいて、使用したゴルフクラブと使用位置とを表示手段に表示する。したがって、コースでのゴルフクラブの使用履歴を容易に取得することができるとともに、クラブ毎の飛距離、正確度を把握することができるという利点が得られる。
【００２５】
また、本発明によれば、表示手段により、使用したゴルフクラブと使用位置とをコース俯瞰図上に表示する。したがって、コースでのゴルフクラブの使用履歴を容易に取得することができるとともに、クラブ毎の飛距離、正確度を把握することができるという利点が得られる。
【００２６】
また、本発明によれば、演算手段によって、前記ラウンド履歴情報に基づいて、コース毎のスコアを計算する。したがって、コースでのゴルフクラブの使用履歴を容易に取得することができ、スコア計算を容易に行うことができるという利点が得られる。
【００２７】
また、本発明によれば、ゴルフクラブ毎に取り付けられたＩＣタグから、取り付けられたゴルフクラブを一意に特定可能な識別情報を受信し、現在位置を示す位置情報を取得し、現在時刻を示す取得時刻を取得し、少なくとも前記識別情報と前記位置情報と前記取得時刻とを含むラウンド履歴情報を記憶する。したがって、コースでのゴルフクラブの使用履歴を容易に取得することができるという利点が得られる。
【００２８】
また、本発明によれば、ゴルフクラブ毎に取り付けられたＩＣタグから、取り付けられたゴルフクラブを一意に特定可能な識別情報を受信するステップと、現在位置を示す位置情報を取得するステップと、現在時刻を示す取得時刻を取得するステップと、少なくとも前記識別情報と前記位置情報と前記取得時刻とを含むラウンド履歴情報を記憶するステップとをコンピュータに実行させる。したがって、コースでのゴルフクラブの使用履歴を容易に取得することができるという利点が得られる。
【００２９】
また、本発明によれば、ゴルフクラブ毎に取り付けられたＩＣタグから、取り付けられたゴルフクラブを一意に特定可能な識別情報を受信するステップと、現在位置を示す位置情報を取得するステップと、現在時刻を示す取得時刻を取得するステップと、少なくとも前記識別情報と前記位置情報と前記取得時刻とを含むラウンド履歴情報を記憶するステップとを含むラウンド履歴取得プログラムを記録している。したがって、コースでのゴルフクラブの使用履歴を容易に取得することができるという利点が得られる。
【発明を実施するための最良の形態】
【００３０】
以下、本発明の一実施形態によるラウンド履歴管理システムを、図面を参照して説明する。図１は、本発明の実施形態によるラウンド履歴管理システムの構成を示す模式図である。図において、携帯端末１は、一般的な情報処理機能に加え、ＧＰＳ衛星３からの電波に従って自身の現在位置を取得するためのＧＰＳ機能を備えている。該携帯端末１は、ゴルフプレーヤに携帯される。したがって、携帯端末１が取得する現在位置は、ゴルフプレーヤの現在位置（ショット位置）を示すことになる。なお、ＧＰＳ機能は、携帯端末１内蔵であっても、携帯端末１に着脱（接続）可能な別体であってもよい。
【００３１】
また、携帯端末１は、後述する、カート１０または／および管理サーバ２０との間でデータを送受信するための無線機能を備えている。また、携帯端末１は、ゴルフプレーヤが用いるゴルフクラブの種類を判別するために、後述するように、ゴルフクラブ４に取り付けられたＩＣタグ（パッシブタグ）５のＩＣタグ識別番号を読み取るためのタグリーダ２が接続されている。タグリーダ２は、所定の時間間隔で電波を送信しており、該電波に応じてＩＣタグ５から送信されるＩＣタグ識別番号を読み取るようになっている。
【００３２】
また、ＩＣタグ５は、電源を持たないパッシブタグであり、ゴルフプレーヤが所持するゴルフクラブの各々に取り付けられている。図２（ａ）に示すように、ゴルフクラブ４のグリップ４−１のエンドには、通常、グリップマーカ６を挿しておくグリップエンドホール４−２が設けられている。上記ＩＣタグ５は、図２（ｂ）に示すように、該グリップエンドホール４−２に挿しておくグリップマーカ６に取り付けられている。
【００３３】
ＩＣタグ５は、ゴルフクラブ毎に異なるＩＣタグ識別番号を記憶しており、上記携帯端末１に接続されているタグリーダ２の近傍に位置すると、タグリーダ２からの電波を受信し、該電波で電磁誘導などにより駆動電力を発生させて駆動し、記憶部に記憶されているＩＣタグ識別番号を読み出して送信するようになっている。
【００３４】
パッシブタブのＩＣタグ５とタグリーダ２との交信範囲は、数ｍｍ〜数十ｃｍ程度である。言い換えると、ゴルフクラブ４がタグリーダ２の数ｍｍ〜数十ｃｍ程度に近づくと、ＩＣタグ識別番号が送信されることになる。したがって、該タグリーダ２あるいはタグリーダ２のアンテナは、ゴルフプレーヤの腰付近に取り付けられることが好ましい。これにより、ゴルフプレーヤがショットするためにゴルフクラブ４を構えた体勢になると、そのゴルフクラブ４に取り付けられているＩＣタグ５からＩＣタグ識別番号が送信され、携帯端末１のタグリーダ２がそのＩＣタブ５からのＩＣタグ識別番号を受信することなる。なお、パッシブタブは、交信範囲が狭いので、特別な機能や処理を行うことなく、他のゴルフプレーヤのタグリーダとの混信を防止することができる。
【００３５】
携帯端末１は、図３（ａ）に示すように、ＩＣタグ識別番号とゴルフクラブを識別するためのクラブ番号とを予め対応付けて記憶している。したがって、受信したＩＣタグ識別番号から、そのときのショットで用いたゴルフクラブを特定することができる。また、携帯端末１は、ゴルフプレーヤがショットする際に、そのとき用いるゴルフクラブ４を特定するとともに、そのときの位置情報、時刻を取得し、図３（ｂ）に示すように、ホール毎に、かつショット毎に、クラブ番号、位置情報、取得時刻をラウンド履歴情報として記憶するようになっている。また、携帯端末１は、コース終了毎に上記ラウンド履歴情報を、カート１０を中継して後述する管理サーバ２０に送信するか、直接、管理サーバ２０に送信するようになっている。このように、本実施形態では、ゴルフプレーヤの位置だけでなく、どこでどのゴルフグラブを用いたかを知ることができる。さらに、該ラウンド履歴情報から各ホールを何打でアウトしたかを知ることができ、スコアも自動的に計算することができる。
【００３６】
カート１０には、上述したように、携帯端末１との間でデータを送受信するとともに、後述する管理サーバ２０との間でデータを送受信するための送受信機能などを備えており、携帯端末１で保持するラウンド履歴情報を受信して管理サーバ２０に送信する中継局として動作する。なお、カート１０にディスプレイ等が備えられている場合には、上記ラウンド履歴情報を表示するようにしてもよい。
【００３７】
管理サーバ２０は、ゴルフ場の管理施設等に設置されており、パーソナルコンピュータなどからなる。管理サーバ２０は、上記カート１０もしくは携帯端末１との間でデータを送受信する送受信機能を備えているとともに、受信したラウンド履歴情報を一元管理するためのデータベース２１等を備えている。また、管理サーバ１０は、インターネットなどの広域ネットワーク３０に接続されており、上記ラウンド履歴情報をゴルフプレーヤ個人のパーソナルコンピュータ３１へ送信したり、ゴルフプレーヤ個人のパーソナルコンピュータ３１からの要求に応じて上記ラウンド履歴情報を提供（ダウンロード）するようになっている。
【００３８】
次に、図４は、上述したＩＣタグ５、携帯端末１および管理サーバ２０の略構成を示すブロック図である。ＩＣタグ５は、通信部５−１、記憶部５−２および制御部５−３から構成されている。通信部５−１は、ＲＦ−ＩＤ技術により携帯端末１のタグリーダ２との間でデータを送受信するためのものである。記憶部５−２は、ＩＣタグ識別番号を記憶する。制御部５−３は、上記通信部５−１、記憶部５−２など、各部の動作を制御する。
【００３９】
携帯端末１は、表示部１−１、入力部１−２、通信部１−３、記憶部１−４および制御部１−５から構成されている。表示部１−１は、ゴルフプレーヤに対して、動作状況やランド履歴情報、コース情報、スコア情報などを表示する。入力部１−２は、各種情報や動作指示を入力するためのものである。通信部１−３は、ＲＦ−ＩＤ技術によりＩＣタグ５または管理サーバ２０との間でデータを送受信するためのものである。記憶部１−４は、前述した図３（ａ）に示す、ＩＣタグ識別番号とクラブ番号、図３（ｂ）に示すラウンド履歴情報などを記憶する。制御部１−５は、上記表示部１−１、入力部１−２、通信部１−３および記憶部１−４など、各部の動作を制御する。管理サーバ２０は、図示しないＣＰＵやメモリ、表示部、入力部、外部記憶装置などからなり、各ゴルフプレーヤの携帯端末１からの複数のラウンド履歴情報を外部記憶装置などの大容量記録媒体に記憶して一元管理する。
【００４０】
次に、本実施形態の動作について説明する。ここで、図５は、本実施形態によるラウンド履歴管理システムの動作を説明するためのフローチャートである。なお、詳細は説明しないが、ゴルフプレーヤ（もしくは管理者）は、ゴルフプレーに先立って、ゴルフプレーヤの使用するゴルフクラブの各々にＩＣタグ５を取り付けるとともに、各ＩＣタグ５が何番のゴルフクラブに取り付けられたかをそれぞれのゴルフプレーヤの携帯端末１に登録しておく。
【００４１】
携帯端末１（のタグリーダ２）では、所定の時間間隔でＲＦ信号を送信する（Ｓ２０）。そして、ＩＣタグ識別番号を受信したか否かを判断し（Ｓ２２）、受信しなければ、ステップＳ２０へ戻り、ＲＦ信号の送信を繰り返す。
【００４２】
一方、ゴルフプレーヤは、通常通り、適切なゴルフクラブを選択してショットすることになる。このとき、ゴルフプレーヤがショットするためにゴルフクラブ４を構えた体勢になると、そのゴルフクラブ４に取り付けられているＩＣタグ５は、タグリーダ２からのＲＦ信号を受信し（Ｓ１０）、記憶部５−２からＩＣタグ識別番号を読み出し（Ｓ１２）、該ＩＣタグ識別番号を送信する（Ｓ１４）。
【００４３】
携帯端末１（のタグリーダ２）では、ＩＣタグ識別番号を受信すると、ＧＰＳ機能により現在位置を示す位置情報を取得し（Ｓ２４）、続いて、現在時刻を取得する（Ｓ２６）。そして、図３（ｂ）に示すように、受信したＩＣタグ識別番号、該ＩＣタグ識別番号に対して登録されているクラブ番号、上記位置情報、上記取得時刻を対応付けて記憶する（Ｓ２８）。
【００４４】
次に、ホール終了したか否かを判断し（Ｓ３０）、ホールアウトしていなければ、ステップＳ２０へ戻り、上述した動作を繰り返す。一方、ホールアウト（終了）した場合には、ユーザＩＤ、ホール番号、ＩＣタグ識別番号、クラブ番号、位置情報、取得時刻を、カート１０を介して、あるいは直接、管理サーバ２０に送信する（Ｓ３２）。次に、ラウンドが終了したか否かを判断し（Ｓ３４）、ラウンドが終了していなければ、ステップＳ２０へ戻り、上述した処理を繰り返す。すなわち、次のコースにおけるラウンド履歴情報を収集する。この結果、ホール毎に、どこで（位置情報）、いつ（取得時刻）、どのゴルフクラブ（クラブ番号）を用いたかを示すラウンド履歴情報が得られる。一方、ラウンドが終了すると、当該処理を終了する。
【００４５】
これに対して、管理サーバ２０では、携帯端末１からのラウンド履歴情報（ユーザＩＤ、ホール番号、ＩＣタグ識別番号、クラブ番号、位置情報、取得時刻）を受信し（Ｓ４０）、ユーザＩＤ毎に、ホール番号、ＩＣタグ識別番号、クラブ番号、位置情報、取得時刻を記憶する（Ｓ４２）。次に、受信したラウンド履歴情報に従って、各ホールのスコア等を計算する（Ｓ４４）。
【００４６】
なお、携帯端末１、またはカート１０がディスプレイを搭載している場合にはカート１０、管理サーバ２０では、必要に応じて、図６に示すように、ラウンド履歴情報に従って、リアルタイムで、コースの俯瞰図上に、どこで（位置情報）、どのゴルフクラブ（クラブ番号）を用いたかを表示するようにしてよい。コースの俯瞰図は、携帯端末１に記憶されていても、管理サーバ２０から予め取得しておいてもよいし、その都度、取得するようにしてもよい。一般には、コースの状況は定期的に変更されるので、管理サーバ２０で一元管理しておき、管理サーバ２０から取得するようにすることが好ましい。
【００４７】
上述した実施形態によれば、ゴルフプレーヤの位置だけでなく、どこでどのゴルフグラブを用いたかを知ることができる。さらに、該ラウンド履歴情報から各ホールを何打でアウトしたかを知ることができ、スコアも自動的に計算することができる。また、クラブ毎の飛距離、正確度を把握することができる。
【００４８】
なお、上述した実施形態においては、スコア計算を管理サーバ２０で行うように説明したが、これに限らず、携帯端末１で計算してもよい。この場合、携帯端末１は、上記ラウンド履歴情報を送信する際に、該ラウンド履歴情報に加え、自端末で計算したスコアをも管理サーバ２０に送信して一元管理すればよい。
【００４９】
また、上述した実施形態においては、上述した携帯端末１、管理サーバ２０による一連の処理の過程は、プログラムの形式でコンピュータ読み取り可能な記録媒体に記憶されており、このプログラムをコンピュータが読み出して実行することによって、上記処理が行われる。すなわち、携帯端末１、管理サーバ２０における、各処理手段、処理部は、ＣＰＵ等の中央演算処理装置がＲＯＭやＲＡＭ等の主記憶装置に上記プログラムを読み出して、情報の加工・演算処理を実行することにより、実現されるものである。
【００５０】
ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【図面の簡単な説明】
【００５１】
【図１】本発明の実施形態によるラウンド履歴管理システムの構成を示す模式図である。
【図２】本実施形態によるＩＣタグの取り付け方を説明するための模式図である。
【図３】本実施形態によるラウンド履歴情報の一例を示す概念図である。
【図４】本実施形態による、ＩＣタグ５、携帯端末１および管理サーバ２０の略構成を示すブロック図である。
【図５】本実施形態によるラウンド履歴管理システムの動作を説明するためのフローチャートである。
【図６】本実施形態によるラウンド履歴情報の表示例を示す模式図である。
【符号の説明】
【００５２】
１  携帯端末（ＰＤＡ）
１−１  表示部（表示手段）
１−２  入力部
１−３  通信部（第１の受信手段、第２の送信手段）
１−４  記憶部（記憶手段）
１−５  制御部（演算手段、位置情報取得手段、時刻取得手段）
２  タグリーダ
３  ＧＰＳ衛星
４  ゴルフクラブ
４−１  グリップ
５  ＩＣタグ
５−１  通信部（第１の送信手段）
５−２  記憶部（第１の記憶手段）
５−３  制御部
６  グリップマーカ
１０  カート
２０  管理サーバ（第２の受信手段、演算手段）
２１  データベース（第２の記憶手段）
３０  広域ネットワーク
３１  パーソナルコンピュータ
【図１】
2006338336.tif 000003
【図２】
2006338336.tif 000004
【図３】
2006338336.tif 000005
【図４】
2006338336.tif 000006
【図５】
2006338336.tif 000007
【図６】
2006338336.tif 000008